(57)【特許請求の範囲】
【請求項１】
複数の噴射ノズルを備えた印字ヘッドを複数有し、その複数の印字ヘッドを駆動する印字ヘッド駆動装置であって、
各印字ヘッド毎に設けられ、印字データであるシリアルデータ信号を伝達するシリアルデータ信号線と当該シリアルデータ信号の転送クロックの信号を伝達する転送クロック信号線とが配線された駆動回路を備え、
当該各駆動回路では、前記シリアルデータ信号線が共用され、各転送クロック信号線の各転送クロック信号の状態変化に基づいて、前記シリアルデータ信号線のシリアルデータ信号が各駆動回路にそれぞれ伝達され、
前記各転送クロック信号線の各転送クロック信号は、
ある状態変化から次の状態変化までの周期が互いに等しいものであるとともに、
ある転送クロックに関する一の状態変化から次の状態変化までの間に他の転送クロックの状態変化が生じるよう、互いの状態変化が時間的に重ならないタイミングで生じるものであり、
前記シリアルデータ信号線のシリアルデータ信号は、１つの噴射ノズルに対する印字データを単位として各印字ヘッドのための印字データが入れ替わりでシリアルにマージされたものであること
を特徴とする印字ヘッド駆動装置。
【請求項２】
前記各駆動回路は各々シリアル・パラレル変換器を備え、当該シリアル・パラレル変換器には前記シリアルデータ信号線と前記転送クロック信号線とが配線されていることを特徴とする請求項１に記載の印字ヘッド駆動装置。
【請求項３】
前記駆動回路は各々ラッチ回路及びマルチプレクサを備え、前記ラッチ回路は前記シリアル・パラレル変換器より出力される印字データを一時記憶し、前記マルチプレクサは前記ラッチ回路より出力される印字データに基づいて前記印字ヘッドを駆動する駆動波形を出力することを特徴とする請求項２に記載の印字ヘッド駆動装置。
【請求項４】
前記印字ヘッドはインクジェットヘッドであることを特徴とする請求項１乃至３の何れかに記載の印字ヘッド駆動装置。
【請求項５】
前記シリアルデータ信号線に、１つの前記転送クロック信号の１周期に対応する期間毎に前記複数の駆動回路の為のシリアルデータ信号がマージされて伝達され、１つの前記転送クロック信号の１周期内で、各転送クロックの状態変化に基づいて、前記マージされたシリアルデータ信号から、各駆動回路の為のシリアルデータ信号を各駆動回路へ伝達することを特徴とする請求項１乃至４の何れかに記載の印字ヘッド駆動装置。
【発明の詳細な説明】
【０００１】
【発明の属する技術分野】
本発明は、印字ヘッド駆動装置に関し、詳細には、インクジェットプリンタ、ドットインパクトプリンタ等の記録装置の印字ヘッド駆動装置に関するものである。
【０００２】
【従来の技術】
図５を参照して、従来のインクジェットプリンタについて説明する。図５は、従来のインクジェットプリンタ１０１のブロック図である。図５に示すように、従来のインクジェットプリンタ１０１には印字データの処理やプリンタの動作の制御を行うＣＰＵ１０６が設けられ、当該ＣＰＵ１０６にはユーザーがプリンタの操作を行うＳＷパネル１０９と、図示外の搬送系及び後述のキャリッジ１２０を駆動するモーターの制御を行う駆動回路１１０とが接続されている。また、ＣＰＵ１０６からはバスライン１５０が延設され、ＣＰＵ１０６が実行するプログラムを記憶したＲＯＭ１０７、ＣＰＵ１０６のデータ処理時に一時的なデータの記憶を行うＲＡＭ１０８及びゲート回路ＬＳＩであるゲートアレイ１０４がバスライン１５０に接続されている。
【０００３】
さらに、ゲートアレイ１０４にはホストコンピュータ１０２との接続を行うインターフェース１０３と、印字データを一時記憶するイメージメモリ１０５とが接続されている。また、ゲートアレイ１０４は、キャリッジ１２０内の配線基板であるキャリッジ基板１１１と、フラットケーブル１２５を介して接続されている。キャリッジ１２０内にはインク液滴の噴射装置である印字ヘッド１２２，１２４が搭載され、印字ヘッド１２２，１２４にはインク液滴の噴射の制御を行うドライバＩＣ１２１，１２３が各々接続されている。ドライバＩＣ１２１，１２３は各々フレキシブルプリント基板ケーブル（以下、「ＦＰＣケーブル」と言う。）１４６，１４７を介し、キャリッジ基板１１１に接続されている。
【０００４】
次に、図５及び図６を参照して、ドライバＩＣ１２１，１２３内の構造について説明する。図６は、従来のインクジェットプリンタ１０１のドライバＩＣ１２１，１２３のブロック図である。図６に示すように、従来のインクジェットプリンタ１０１では、印字ヘッド１２２，１２４にドライバＩＣ１２１，１２３が各々接続され、印字ヘッドの制御が行われている。ドライバＩＣ１２１，１２３は、シフトレジスタ１２６，１２７、ラッチ回路１２８，１２９、マルチプレクサ１３０，１３１及び増幅回路１３２，１３３を各々内蔵している。尚、ラッチ信号線１３４、転送クロック信号線１３６、波形データ信号線１４１及びシリアルデータ信号線１４３は、図５に示す、フラットケーブル１２５及びＦＰＣケーブル１４６上の各信号線である。また、ラッチ信号線１３５、転送クロック信号線１３７、波形データ信号線１４２及びシリアルデータ信号線１４４は、図５に示す、フラットケーブル１２５及びＦＰＣケーブル１４７上の各信号線である。
【０００５】
シフトレジスタ１２６，１２７はそれぞれキャリッジ基板１１１を介してゲートアレイ１０４と接続されており、ゲートアレイ１０４よりシリアルデータ信号線１４３，１４４及び転送クロック信号線１３６，１３７が配線されている。また、シフトレジスタ１２６，１２７は、ラッチ回路１２８，１２９に各々接続されている。ラッチ回路１２８，１２９はそれぞれキャリッジ基板１１１を介してゲートアレイ１０４と接続されており、ゲートアレイ１０４よりラッチ信号線１３４，１３５が配線されている。
【０００６】
また、ラッチ回路１２８，１２９は、マルチプレクサ１３０，１３１に各々接続されている。マルチプレクサ１３０，１３１はそれぞれキャリッジ基板１１１を介してゲートアレイ１０４と接続されており、ゲートアレイ１０４より波形データ信号線１４１，１４２が配線されている。また、マルチプレクサ１３０，１３１は、増幅回路１３２，１３３に各々接続されている。増幅回路１３２，１３３は、印字ヘッド１２２，１２４に各々接続されている。
【０００７】
次に、図５乃至図７を参照して、ドライバＩＣ１２１，１２３に於ける各々の信号の処理タイミングについて説明する。図７は、ドライバＩＣ１２１，１２３に伝達される各種の信号のタイミングチャートである。印字データは、イメージメモリ１０５からゲートアレイ１０４によって読み出され、シリアルデータ信号線１４４，１４５を介してドライバＩＣ１２１，１２３に各々伝達される。
【０００８】
図７に示す、Ｔ０タイミングで、ラッチ回路１２８，１２９はラッチ信号が「ＯＮ」となると、シフトレジスタ１２６，１２７に展開されている印字データを取り込み、各々マルチプレクサ１３０，１３１に出力する。マルチプレクサ１３０，１３１はそれぞれ印字データをもとに、波形データ信号線１４１，１４２を介して伝達される波形データ信号ａ〜ｈの何れかを選択し、印字ヘッド１２２，１２４の複数の噴射ノズル（図示外）の各々のインク噴射駆動波形として増幅回路１３２，１３３へ出力する。増幅回路１３２，１３３は、各駆動波形を印字ヘッド１２２，１２４に各々出力し、印字が行われる。
【０００９】
次に、Ｔ１タイミングで、ラッチ回路１２８，１２９はラッチ信号が「ＯＦＦ」となると、印字データを保持する状態に入る。その後、Ｔ２タイミングからＴ３タイミングの間、シフトレジスタ１２６，１２７は、次の印字周期で印字するための印字データを転送クロック信号が「ＯＮ」の時に時系列に沿って順次取り込み、パラレルデータに変換する。次に、Ｔ４タイミングで、ラッチ回路１２８，１２９はラッチ信号が「ＯＮ」となると、シフトレジスタ１２６，１２７に展開した印字データを取り込み、各々マルチプレクサ１３０，１３１に出力する。以降、上記と同様に駆動波形が印字ヘッド１２２，１２４に出力され印字が行われる。そして、Ｔ５，Ｔ６，Ｔ７タイミングで上記Ｔ１，Ｔ２，Ｔ３タイミングと同様の動作が繰り返される。
【００１０】
【発明が解決しようとする課題】
しかしながら、従来のインクジェットプリンタ１０１では、各印字ヘッド１２２，１２４のドライバＩＣ１２１，１２３に対してほぼ同時期に転送クロック信号、ラッチ信号が伝達されて、印字データが各印字ヘッド１２２，１２４に並行して転送されるため、各印字ヘッド１２２，１２４に対しシリアルデータ信号線１４３，１４４が各々必要となる。さらに、多階調化などのために印字データ量が増えるとそれに対応したシリアルデータ信号線の数も印字ヘッドの数との積だけ増え、生産工程の複雑化、生産コストの増加、印字ヘッドの小型化に対する阻害等の問題があった。
【００１１】
本発明は、上記課題を解決する為になされたものであり、複数の印字ヘッドに対し、シリアルデータ信号を伝達するための信号線を共用することで信号線の数を減らし、生産工程の簡易化、生産コストの軽減、印字ヘッドの小型化を図ることを目的とする。
【００１２】
【課題を解決するための手段】
上記課題を解決する為に、請求項１に係る発明の印字ヘッド駆動装置は、複数の噴射ノズルを備えた印字ヘッドを複数有し、その複数の印字ヘッドを駆動する印字ヘッド駆動装置であって、
各印字ヘッド毎に設けられ、印字データであるシリアルデータ信号を伝達するシリアルデータ信号線と当該シリアルデータ信号の転送クロックの信号を伝達する転送クロック信号線とが配線された駆動回路を備え、
当該各駆動回路では、前記シリアルデータ信号線が共用され、各転送クロック信号線の各転送クロック信号の状態変化に基づいて、前記シリアルデータ信号線のシリアルデータ信号が各駆動回路にそれぞれ伝達され、前記各転送クロック信号線の各転送クロック信号は、ある状態変化から次の状態変化までの周期が互いに等しいものであるとともに、ある転送クロックに関する一の状態変化から次の状態変化までの間に他の転送クロックの状態変化が生じるよう、互いの状態変化が時間的に重ならないタイミングで生じるものであり、前記シリアルデータ信号線のシリアルデータ信号は、１つの噴射ノズルに対する印字データを単位として各印字ヘッドのための印字データが入れ替わりでシリアルにマージされたものであることを特徴とする印字ヘッド駆動装置。を特徴とする構成となっている。
【００１３】
この構成の印字ヘッド駆動装置では、複数の印字ヘッドのためのそれぞれの印字データをマージし、転送クロック信号の状態変化に基づいて各印字ヘッドにそれぞれ伝達することで、前記複数の印字ヘッドに配線されているシリアルデータ信号線を共用することができる。
【００１４】
また、請求項２に係る発明の印字ヘッド駆動装置は、請求項１に記載の発明の構成に加え、前記各駆動回路は各々シリアル・パラレル変換器を備え、当該シリアル・パラレル変換器には前記シリアルデータ信号線と前記転送クロック信号線とが配線されていることを特徴とする構成となっている。
【００１５】
この構成の印字ヘッド駆動装置では、請求項１に記載の発明の作用に加え、各シリアル・パラレル変換器にはシリアルデータ信号線と転送クロック信号線とが配線されており、複数の印字ヘッドの印字データをマージして伝達されたシリアルデータ信号を、転送クロック信号に基づいて各印字ヘッドに対応したシリアル・パラレル変換器でそれぞれパラレルのデータ信号に変換し、出力することができる。
【００１６】
また、請求項３に係る発明の印字ヘッド駆動装置は、請求項２に記載の発明の構成に加え、前記駆動回路は各々ラッチ回路及びマルチプレクサを備え、前記ラッチ回路は前記シリアル・パラレル変換器より出力される印字データを一時記憶し、前記マルチプレクサは前記ラッチ回路より出力される印字データに基づいて前記印字ヘッドを駆動する駆動波形を出力することを特徴とする構成となっている。
【００１７】
この構成の印字ヘッド駆動装置では、請求項２に記載の発明の作用に加え、ラッチ回路はシリアル・パラレル変換器によりシリアルデータ信号がパラレル変換され転送された印字データを一時記憶し、マルチプレクサはラッチ回路より出力される印字データをもとに、印字ヘッドを駆動する駆動波形を出力することができる。
【００１８】
また、請求項４に係る発明の印字ヘッド駆動装置は、請求項１乃至３の何れかに記載の発明の構成に加え、前記印字ヘッドはインクジェットヘッドであることを特徴とする構成となっている。
【００１９】
この構成の印字ヘッド駆動装置では、請求項１乃至３の何れかに記載の発明の作用に加え、前記印字ヘッドはインクジェットヘッドであり、インクジェット記録装置においても複数の印字ヘッドに伝達されるそれぞれのシリアルデータ信号をマージすることで、前記複数の印字ヘッドに配線されているシリアルデータ信号線を共用することができる。
【００２０】
また、請求項５に係る発明の印字ヘッド駆動装置は、請求項１乃至４の何れかに記載の発明の構成に加え、前記シリアルデータ信号線に、１つの前記転送クロック信号の１周期に対応する期間毎に前記複数の駆動回路の為のシリアルデータ信号がマージされて伝達され、１つの前記転送クロック信号の１周期内で、各転送クロックの状態変化に基づいて、前記マージされたシリアルデータ信号から、各駆動回路の為のシリアルデータ信号を各駆動回路へ伝達することを特徴とする構成となっている。
【００２１】
この構成の印字ヘッド駆動装置では、請求項１乃至４の何れかに記載の発明の作用に加え、シリアルデータ信号線に、１つの転送クロック信号の１周期に対応する期間毎に、複数の駆動回路の為のシリアルデータ信号がマージされて伝達される。１つの転送クロック信号の１周期内で、各転送クロックの状態変化に基づいて、マージされたシリアルデータ信号から、各駆動回路の為のシリアルデータ信号を各駆動回路へ伝達することができる。
【００２２】
【発明の実施の形態】
以下、本発明を具体化したインクジェットプリンタの一実施の形態について、図面を参照して説明する。図１は、インクジェットプリンタ１のブロック図である。図１に示すように、インクジェットプリンタ１には印字データの処理やプリンタの動作の制御を行うＣＰＵ６が設けられ、当該ＣＰＵ６にはユーザーがプリンタの操作を行うＳＷパネル９と、図示外の搬送系及び後述のキャリッジ２０を駆動するモーターの制御を行う駆動回路１０が接続されている。また、ＣＰＵ６からはバスライン５０が延設され、ＣＰＵ６が実行するプログラムを記憶したＲＯＭ７、ＣＰＵ６のデータ処理時に一時的なデータの記憶を行うＲＡＭ８及びゲート回路ＬＳＩであるゲートアレイ４がバスライン５０に接続されている。
【００２３】
さらに、ゲートアレイ４にはホストコンピュータ２との接続を行うインターフェース３と、印字データを一時記憶するイメージメモリ５とが接続されている。また、ゲートアレイ４は、キャリッジ２０内の配線基板であるキャリッジ基板１１と、フラットケーブル２５を介して配線されている。キャリッジ２０内にはインク液滴の噴射装置である印字ヘッド２２，２４が搭載され、印字ヘッド２２，２４にはインク液滴の噴射の制御を行う駆動回路、すなわち、ドライバＩＣ２１，２３が各々接続されている。ドライバＩＣ２１，２３は各々ＦＰＣケーブル４６，４７を介し、キャリッジ基板１１に各々接続されている。各印字ヘッド２２，２４は公知のものと同様に、それぞれ独立して駆動される複数の印字素子、すなわち、噴射ノズルを有する。
【００２４】
次に図１及び図２を参照して、ドライバＩＣ２１，２３内の構造について説明する。図２は、インクジェットプリンタ１のドライバＩＣ２１，２３のブロック図である。図２に示すように、インクジェットプリンタ１では、印字ヘッド２２，２４にドライバＩＣ２１，２３が各々接続され、印字ヘッドの制御が行われている。ドライバＩＣ２１，２３はそれぞれ、シリアル・パラレル変換器すなわちシフトレジスタ２６，２７、ラッチ回路２８，２９、マルチプレクサ３０，３１及び増幅回路３２，３３を内蔵している。
【００２５】
これらシフトレジスタ２６，２７は、それぞれ印字ヘッド２２，２４の噴射ノズル数と後述するシリアルデータ信号線５１，５２の数との積に対応するビット数を有する。ラッチ回路２８，２９、マルチプレクサ３０，３１及び増幅回路３２，３３は、それぞれ噴射ノズルと個々に対応して設けられ、これらはシフトレジスタ２６，２７から各噴射ノズルに対応する印字データを順次受けるように接続されている。
【００２６】
図１に示す、ＦＰＣケーブル４６，４７上の各信号線は、各々図２に示す、ラッチ信号線３４，３５、転送クロック信号線３６，３７、波形データ信号線４１，４２、シリアルデータ信号線５１，５２である。シリアルデータ信号線５１とシリアルデータ信号線５２及び波形データ信号線４１と波形データ信号線４２はそれぞれ、図１に示す、キャリッジ基板１１及びフラットケーブル２５上で共通のシリアルデータ信号線及び共通の波形データ信号線として配線されている。さらに、ラッチ信号線３４，３５、転送クロック信号線３６，３７もそれぞれキャリッジ基板１１及びフラットケーブル２５上に配線されている。
【００２７】
マルチプレクサ３０，３１は、１噴射ノズルについて複数、例えば３本のシリアルデータ信号線５１及び５２で転送される印字データに基づいて、複数、例えば８本の波形データ信号線４１，４２で供給される８種類の波形データ信号ａ〜ｈのうち１つを選択するものである。波形データ信号ａ〜ｈは、ＲＯＭ７に格納された波形パラメータに基づいてゲートアレイ４内の波形発生回路で生成され、波形データ信号線４１，４２を介して各マルチプレクサ３０，３１に出力される。また、ドライバＩＣ２１，２３内に波形発生回路を設けて、ＲＯＭ７からフラットケーブル２５を介して波形パラメータを受け、ドライバＩＣ２１，２３内で波形データ信号ａ〜ｈを発生することもできる。
【００２８】
次に、図１乃至図３を参照して、本実施の形態のインクジェットプリンタ１において、データ処理手順について説明する。図３は、ドライバＩＣ２１，２３に伝達される信号のタイミングチャートである。図１に示すように、ホストコンピュータ２より出力された印字データは、インターフェース３、ゲートアレイ４を介してイメージメモリ５に一時記憶される。このとき、ゲートアレイ４は、各印字ヘッド２２，２４のための印字データＰＤＡ，ＰＤＢを、後述する転送クロック信号Ａ，Ｂの各有効な転送指示部分ＡＷ，ＢＷに対応して、１印字周期ごとにシリアルにマージし、イメージメモリ５に記憶する。
【００２９】
そして、印字開始信号に基づき、ゲートアレイ４は、イメージメモリ５に記憶された印字データをシリアルに読み出し、シリアルデータ信号線５１，５２に出力する。
【００３０】
一方、ゲートアレイ４は、印字媒体に沿うキャリッジ２０の走査に基づいて各ドライバＩＣ２１，２３に対応した転送クロック信号Ａ，Ｂを生成し、転送クロック信号線３６，３７を介してシフトレジスタ２６，２７にそれぞれ出力する。また、その転送クロック信号Ａ，Ｂと同期したラッチ信号Ａ，Ｂを生成して、ラッチ信号線３４，３５を介してラッチ回路２８，２９にそれぞれ出力する。転送クロック信号Ａ，Ｂは、各有効な転送指示部分（各シフトレジスタ２６，２７に対して印字データの転送を行う信号の部分）ＡＷ，ＢＷを、図３に示すように、１印字周期において、時間的に前後にずれかつ重ならないように有している。ラッチ信号Ａ，Ｂは、１印字周期の開始時に出力される。
【００３１】
図３に示す、Ｔ０タイミングで、ラッチ回路２８，２９はラッチ信号Ａ，Ｂが「ＯＮ」となると、シフトレジスタ２６，２７に展開されている印字データを、各々マルチプレクサ３０，３１に出力する。マルチプレクサ３０，３１はそれぞれ印字データをもとに、波形データ信号線４１，４２を介して伝達される波形データ信号ａ〜ｈの何れかを選択し、印字ヘッド２２，２４の各噴射ノズルの駆動波形とし、増幅回路３２，３３を介して印字ヘッド２２，２４に各々出力し、印字が行われる。
【００３２】
次に、Ｔ１タイミングで、ラッチ回路２８，２９はラッチ信号が「ＯＦＦ」となると、印字データを保持する状態に入る。その後、Ｔ２タイミングからＴ３タイミングの間、シフトレジスタ２６に入力される転送クロック信号Ａは、有効な転送指示部分ＡＷを有しており、次の印字周期で印字ヘッド２２により印字される印字データＰＤＡが、転送クロック信号Ａが「ＯＮ」の時に時系列に沿って順次取り込まれ、パラレルデータに変換される。Ｔ２タイミングからＴ３タイミングの間、シフトレジスタ２７に入力される転送クロック信号Ｂが「ＯＦＦ」の状態なので、シフトレジスタ２７は印字データを取り込まない。
【００３３】
次に、Ｔ４タイミングからＴ５タイミングの間、シフトレジスタ２７に入力される転送クロック信号Ｂは、有効な転送指示部分ＢＷを有しており、次の印字周期で印字ヘッド２４により印字される印字データＰＤＢが、転送クロック信号Ｂが「ＯＮ」の時に時系列に沿って順次取り込まれ、パラレルデータに変換される。Ｔ４タイミングからＴ５タイミングの間、シフトレジスタ２６に入力される転送クロック信号Ａが「ＯＦＦ」の状態なので、シフトレジスタ２６は印字データを取り込まない。さらに、Ｔ６タイミングで、ラッチ回路２８，２９はラッチ信号が「ＯＮ」となると、各々マルチプレクサ３０，３１に印字データを出力する。以降、上記と同様に駆動波形が印字ヘッド２２，２４に出力され印字が行われる。そして、Ｔ７，Ｔ８，Ｔ９，Ｔ１０，Ｔ１１タイミングで上記Ｔ１，Ｔ２，Ｔ３，Ｔ４，Ｔ５タイミングと同様の動作が繰り返される。
【００３４】
図４は、本発明の他の実施の形態を示すタイミングチャートである。この実施の形態における回路構成は図１及び図２のものと同じである。
【００３５】
この実施の形態において、転送クロック信号Ａ，Ｂは、一方の転送クロック信号が「ＯＮ」のとき他方の転送クロック信号が「ＯＦＦ」するように、相互ずれながら有効な転送指示部分が繰り返される。これに対応したタイミングで、シリアルデータ信号ａ〜ｃも、各印字ヘッド２２，２４のための印字データが交互にシリアルにマージされる。
【００３６】
Ｔ０，Ｔ１タイミングでの動作は前記実施の形態と同様である。Ｔ２タイミングで、一方の転送クロック信号Ｂが立ち上がると、シリアルデータ信号ａ〜ｃのうちこの転送クロック信号部分に対応する印字ヘッド２４の印字データがシフトレジスタ２７に取り込まれ、次に他方の転送クロック信号Ａが立ち上がると、この転送クロック信号部分に対応する印字ヘッド２２の印字データがシフトレジスタ２６に取り込まれるという動作が、両シフトレジスタ２６，２７にすべての噴射ノズルに対応するデータが満たされるまで（Ｔ３タイミング）交互に繰り返される。このようにシフトレジスタ２６，２７にデータを取り込む単位は、１ｂｉｔ単位、または１噴射ノズル単位、数噴射ノズル単位でも可能である。シフトレジスタ２６，２７に展開された印字データは、次のラッチ信号のタイミング（Ｔ４）で、ラッチ回路２８，２９からマルチプレクサ３０，３１、増幅回路３２，３３を経て印字ヘッド２２，２４に出力されることは、前記実施の形態と同様である。
【００３７】
以上説明したように、上記の各実施の形態のインクジェットプリンタ１では、印字ヘッド２２，２４へ出力される印字データがマージされ、共通の信号線を介して各々ドライバＩＣ２１，２３に伝達される。ドライバＩＣ２１，２３は、各々の転送クロック信号と同期した印字データのみを選択受信することによって、マージされた印字データを分離して、必要な印字データのみを取り込む。さらに、ドライバＩＣ２１，２３は、各々取り込んだ印字データをもとに、８種の波形データ信号より駆動波形を選択し、印字ヘッド２２，２４に各々出力し印字が行われる。
【００３８】
尚、本発明は各種の変形が可能なことは言うまでもない。例えば、印字ヘッドはインクジェットヘッドに限られず、サーマルヘッド、ワイヤーヘッド等でも使用が可能である。また、シリアル・パラレル変換器はシフトレジスタに限定する必要はない。さらに、１つの印字ヘッドに対し複数のドライバＩＣを搭載した場合にも使用が可能である。また、カラー印字を行うために複数の印字ヘッドを有する装置にも好適に実施することができる。
【００３９】
【発明の効果】
以上説明したように、請求項１に係る発明の印字ヘッド駆動装置では、複数の印字ヘッドに伝達されるそれぞれのシリアルデータ信号をマージし、転送クロック信号の状態変化に基づいて各印字ヘッドにそれぞれ伝達することで、前記複数の印字ヘッドに配線されているシリアルデータ信号線を共用することができ、信号線数を削減することが可能となる。従って、生産工程の簡易化、生産コストの軽減、印字ヘッドの小型化を図ることができる。
【００４０】
また、請求項２に係る発明の印字ヘッド駆動装置では、請求項１に記載の発明の効果に加え、各駆動回路はシリアル・パラレル変換器備え、各シリアル・パラレル変換器にはシリアルデータ信号線と転送クロック信号線とが配線されており、印字データをパラレル変換し出力することが可能である。
【００４１】
また、請求項３に係る発明の印字ヘッド駆動装置では、請求項２に記載の発明の効果に加え、各駆動回路は各々ラッチ回路及びマルチプレクサを備え、ラッチ回路はシリアル・パラレル変換器より出力されるパラレル変換され転送された印字データを一時記憶し、ラッチ信号を受け、一斉に印字データを出力することが可能である。また、マルチプレクサはラッチ回路より出力される印字データをもとに、受信した複数の波形データのうち１つを選択し、印字ヘッドを駆動する駆動波形を出力することが可能である。
【００４２】
また、請求項４に係る発明の印字ヘッド駆動装置では、請求項１乃至３の何れかに記載の発明の効果に加え、印字ヘッドはインクジェットヘッドであるので、インクジェット記録装置内での配線数を削減でき、インクジェット記録装置の小型化を図ることができる。
【００４３】
また、請求項５に係る発明の印字ヘッド駆動装置では、請求項１乃至４の何れかに記載の発明の効果に加え、シリアルデータ信号線に、１つの転送クロック信号の１周期に対応する期間毎に複数の駆動回路の為のシリアルデータ信号がマージされて伝達され、１つの転送クロック信号の１周期内で、各転送クロックの状態変化に基づいて、マージされたシリアルデータ信号から、各駆動回路の為のシリアルデータ信号を各駆動回路へ伝達することができる。
【図面の簡単な説明】
【図１】インクジェットプリンタ１のブロック図である。
【図２】インクジェットプリンタ１のドライバＩＣ２１，２３のブロック図である。
【図３】ドライバＩＣ２１，２３に伝達される信号のタイミングチャートである。
【図４】他の実施の形態のタイミングチャートである。
【図５】従来のインクジェットプリンタ１０１のブロック図である。
【図６】従来のインクジェットプリンタ１０１のドライバＩＣ１２１，１２３のブロック図である。
【図７】従来のドライバＩＣ１２１，１２３に伝達される信号のタイミングチャートである。
【符号の説明】
１    インクジェットプリンタ
２２    印字ヘッド
２４    印字ヘッド
２６，２７  シフトレジスタ
２８，２９  ラッチ回路
３０，３１  マルチプレクサ
３６，３７  転送クロック信号線
５１，５２  シリアルデータ信号線
【図１】
0003928411.tif 000002
【図２】
0003928411.tif 000003
【図３】
0003928411.tif 000004
【図４】
0003928411.tif 000005
【図５】
0003928411.tif 000006
【図６】
0003928411.tif 000007
【図７】
0003928411.tif 000008